(57)【要約】【課題】放送を記録する際のユーザの作業負担を軽減する。【解決手段】制御部は、受信手段により受信された放送信号に基づいて、その受信状態の良好度を判定する（ステップ２０２、２０３、２０５、２０６、２０９、２１０、２１１）。制御部は、検出された受信状態の良好度に基づいて、複数の異なる記録モードの中から記録モードを選択して設定する（ステップ２０７、２０８、２１２、２１３）。制御部は、設定された記録モードで、受信された放送を録音する（ステップ２１４）。【選択図】図３
2010232883.tif 000002
【特許請求の範囲】
【請求項１】
受信された放送信号に基づいて、その受信状態の良好度を判定する判定手段と、
前記判定手段により判定された受信状態の良好度に基づいて、複数の異なる記録モードの中から記録モードを選択して設定する記録モード設定手段と、
前記記録モード設定手段により設定された記録モードで、受信された放送信号を記録する記録手段と、
を備える記録装置。
【請求項２】
前記判定手段は、
前記放送信号の受信強度と、前記放送信号に含まれるノイズレベルとの少なくとも一方に基づいて、前記受信状態の良好度を判定する、
ことを特徴とする請求項１に記載の記録装置。
【請求項３】
前記記録モード設定手段は、
前記受信強度及び前記信号対雑音比が大きくなるにつれて、サンプリング周波数及びビットレートが高い記録モードを設定する、
ことを特徴とする請求項１又は２に記載の記録装置。
【請求項４】
前記記録モード設定手段は、
前記放送信号の音声チャンネル数に基づいて、記録モードを設定する、
ことを特徴とする請求項１乃至３のいずれか一項に記載の記録装置。
【請求項５】
前記受信された放送信号がＦＭ放送信号である場合、
前記放送信号を入力するハイパスフィルタをさらに備え、
前記記録モード設定手段は、
前記ハイパスフィルタの出力が所定のレベル以上である場合には、
音声チャンネル数の少ない記録モードを設定する、
ことを特徴とする請求項１乃至４のいずれか一項に記載の記録装置。
【請求項６】
前記受信された放送信号がＡＭ放送信号である場合、
前記放送信号を入力するハイパスフィルタと、
前記放送信号を入力し、記録対象の信号を出力するローパスフィルタと、
をさらに備え、
前記記録モード設定手段は、
前記ハイパスフィルタの出力が所定のレベル以上である場合には、
前記ローパスフィルタのカットオフ周波数を低く設定する、
ことを特徴とする請求項１乃至４のいずれか一項に記載の記録装置。
【請求項７】
前記判定手段により判定された受信状態の良好度が、前記所定のレベルに満たない場合には、録音を停止する録音停止手段をさらに備える、
ことを特徴とする請求項１乃至６のいずれか一項に記載の記録装置。
【請求項８】
受信された放送信号に基づいて、その受信状態の良好度を判定する判定工程と、
前記判定工程により判定された受信状態の良好度に基づいて、複数の異なる記録モードの中から記録モードを選択して設定する記録モード設定工程と、
前記記録モード設定工程により設定された記録モードで、受信された放送信号を記録する記録工程と、
を含む記録方法。
【請求項９】
受信された放送信号に基づいて、その受信状態の良好度を判定する判定機能と、
前記判定機能により判定された受信状態の良好度に基づいて、複数の異なる記録モードの中から記録モードを選択して設定する記録モード設定機能と、
前記記録モード設定機能により設定された記録モードで、受信された放送信号を記録する記録機能と、
をコンピュータに実行させるプログラム。
【発明の詳細な説明】
【技術分野】
【０００１】
本発明は、放送を記録する記録装置、記録方法及びプログラムに関し、複数の異なる記録モードを有する、記録装置、記録方法及びコンピュータに実行させるプログラムに関する。
【背景技術】
【０００２】
近年、情報のデジタル化に伴い、録音時の圧縮条件、すなわちサンプリング周波数や、ビットレートを、マニュアル操作により、ユーザが自由に設定できるレコーダが提供されている。しかしながら、マニュアル操作により、適切な録音モードを設定するのは、非常に手間がかかる作業である。
【０００３】
このような作業負担を軽減すべく、ＣＤ（Compact Disc）等から読み出された入力信号のダイナミックレンジに基づいて、圧縮条件を自動的に設定する記録装置が開示されている（例えば、特許文献１参照）。また、放送がステレオかモノラルかで、圧縮条件を自動的に設定する記録装置も開示されている（例えば、特許文献２）。
【先行技術文献】
【特許文献】
【０００４】
【特許文献１】特開２００１−０７７６９６号公報
【特許文献２】特開２００１−２１６７３４号公報
【発明の概要】
【発明が解決しようとする課題】
【０００５】
しかしながら、放送信号に含まれるノイズ成分が大きい場合には、ノイズの影響により、ダイナミックレンジに基づく適切な録音モードの設定が困難になる。また、受信感度が良好でない場合には、ステレオ放送であるかモノラル放送であるかを、容易に判別することができないこともある。さらに、ステレオ録音が、モノラル録音の約２倍のメモリ容量を要することを考慮すれば、受信感度が良好でない場合には、ステレオ放送であっても、モノラル録音が適切であることもある。
【０００６】
本発明は、上記事情に鑑みてなされたものであり、ユーザの作業負担を軽減することができる記録装置、記録方法及びプログラムを提供することを目的とする。
【課題を解決するための手段】
【０００７】
上記目的を達成するために、本発明の第１の観点に係る記録装置は、
受信された放送信号に基づいて、その受信状態の良好度を判定する判定手段と、
前記判定手段により判定された受信状態の良好度に基づいて、複数の異なる記録モードの中から記録モードを選択して設定する記録モード設定手段と、
前記記録モード設定手段により設定された記録モードで、受信された放送信号を記録する記録手段と、
を備える。
【０００８】
前記判定手段は、
前記放送信号の受信強度と、前記放送信号に含まれるノイズレベルとの少なくとも一方に基づいて、前記受信状態の良好度を判定する、
こととしてもよい。
【０００９】
前記記録モード設定手段は、
前記受信強度及び前記信号対雑音比が大きくなるにつれて、サンプリング周波数及びビットレートが高い記録モードを設定する、
こととしてもよい。
【００１０】
前記記録モード設定手段は、
前記放送信号の音声チャンネル数に基づいて、記録モードを設定する、
こととしてもよい。
【００１１】
前記受信された放送信号がＦＭ放送信号である場合、
前記放送信号を入力するハイパスフィルタをさらに備え、
前記記録モード設定手段は、
前記ハイパスフィルタの出力が所定のレベル以上である場合には、
音声チャンネル数の少ない記録モードを設定する、
こととしてもよい。
【００１２】
前記受信された放送信号がＡＭ放送信号である場合、
前記放送信号を入力するハイパスフィルタと、
前記放送信号を入力し、記録対象の信号を出力するローパスフィルタと、
をさらに備え、
前記記録モード設定手段は、
前記ハイパスフィルタの出力が所定のレベル以上である場合には、
前記ローパスフィルタのカットオフ周波数を低く設定する、
こととしてもよい。
【００１３】
前記判定手段により判定された受信状態の良好度が、前記所定のレベルに満たない場合には、録音を停止する録音停止手段をさらに備える、
こととしてもよい。
【００１４】
本発明の第２の観点に係る記録方法は、
受信された放送信号に基づいて、その受信状態の良好度を判定する判定工程と、
前記判定工程により判定された受信状態の良好度に基づいて、複数の異なる記録モードの中から記録モードを選択して設定する記録モード設定工程と、
前記記録モード設定工程により設定された記録モードで、受信された放送信号を記録する記録工程と、
を含む。
【００１５】
本発明の第３の観点に係るプログラムは、
受信された放送信号に基づいて、その受信状態の良好度を判定する判定機能と、
前記判定機能により判定された受信状態の良好度に基づいて、複数の異なる記録モードの中から記録モードを選択して設定する記録モード設定機能と、
前記記録モード設定機能により設定された記録モードで、受信された放送信号を記録する記録機能と、
をコンピュータに実行させる。
【発明の効果】
【００１６】
本発明によれば、放送の受信状態の良好度に基づいて、適切な録音モードが自動的に設定されるので、ユーザの作業負担を軽減することができる。
【図面の簡単な説明】
【００１７】
【図１】本発明の一実施形態に係る記録装置の構成を示すブロック図である。
【図２】図１の記録装置における録音モードの各種条件を示すテーブルである。
【図３】ＦＭ放送受信時の処理フローである。
【図４】ＡＭ放送受信時の処理フローである。
【発明を実施するための形態】
【００１８】
次に、本発明の一実施形態について、図面を参照して詳細に説明する。
【００１９】
図１に示すように、記録装置１は、アンテナ１０、チューナ１１、入出力端子１２、セレクタ１３、ＡＤＣ（Analog to Digital Converter）１４、ＤＳＰ（Digital Signal Processor）１５、記録部１６、ＤＡＣ（Digital to Analog Converter）１７、アンプ１８、音声出力部１９、ＣＤメカ部２０、操作部２１、表示部２２、制御部３０を備えている。
【００２０】
アンテナ１０は、放送局から送信されるＦＭ（周波数変調）放送又はＡＭ（振幅変調）放送を含む電波を受信する。
【００２１】
チューナ１１は、制御部３０の制御の下、内部に設けられた同調回路（不図示）を、放送局から送信される電波の周波数に同調させることにより、放送局から送信され、アンテナ１０により受信された放送信号の選択的な抽出を行う。チューナ１１から出力されるＩＦ（中間周波数）信号の周波数は、ＦＭ放送受信時には約１５０ｋＨｚとなり、ＡＭ放送受信時には約２５ｋＨｚとなる。
【００２２】
入出力端子１２は、外部機器との間で音声信号の入出力を行うための端子である。
【００２３】
セレクタ１３は、制御部３０の制御の下、チューナ１１、入出力端子１２から入力されるアナログ信号のいずれかを選択し、ＡＤＣ１４に出力する。
【００２４】
ＡＤＣ１４は、セレクタ１３から出力されるアナログ信号をデジタルデータに変換してＤＳＰ１５に出力する。
【００２５】
ＤＳＰ１５は、制御部３０の制御の下、ＡＤＣ１４から出力されたデジタルデータに対する各種デジタル信号処理を行う。例えば、ＤＳＰ１５は、ＡＤＣ１４から出力されたデジタルデータの符号化を行う。符号化方式としては、ＭＰ３（Moving Picture Experts Group Audio）Layer-3）方式等がある。
【００２６】
また、本実施形態では、ＤＳＰ１５は、受信強度算出部１５１と、ＳＮＲ算出部１５２と、ハイパスフィルタ１５３と、ローパスフィルタ１５４と、受信モード検出部１５５と、を有している。
【００２７】
受信強度算出部１５１は、ＡＤＣ１４から出力されたデジタルデータに基づいて、受信信号強度、すなわちＲＳＳＩ（Receive Signal Strength Indication）を算出する。
【００２８】
また、ＳＮＲ算出部１５２は、デジタルデータにおける信号対雑音比（ＳＮ比、Signal to Noise Ratio、以下「ＳＮＲ」とする）を算出する。
【００２９】
ハイパスフィルタ１５３は、デジタルデータの低周波成分をカットする。ハイパスフィルタ１５３の出力がハイレベルである場合には、隣接妨害が発生していると推定される。ローパスフィルタ１５４は、デジタルデータの高周波成分をカットする。ローパスフィルタ１５４は、ＡＭ放送受信時に用いられる。
【００３０】
ハイパスフィルタ１５３及びローパスフィルタ１５４では、カットオフ周波数として、任意の値を設定することができるが、ハイパスフィルタ１５３のカットオフ周波数は、ＦＭ受信時には、７５ＫＨｚ程度となり、ＡＭ受信時には、７ｋＨｚ程度となる。また、ローパスフィルタ１５４のカットオフ周波数は、３ｋＨｚ又は６ｋＨｚとなる。
【００３１】
受信モード検出部１５５は、ＦＭ放送を受信した場合に、その放送信号が、ステレオモードであるか否かを検出する。
【００３２】
算出されたＲＳＳＩ、ＳＮＲ、ハイパスフィルタ１５３の出力、ローパスフィルタ１５４の出力、受信モードは、放送信号の受信状態に相当するものである。これら放送信号の受信状態は、後述する録音モードの選択に用いられる。
【００３３】
記録部１６は、制御部３０の制御の下、ＤＳＰ１５で符号化されたデジタルデータを記録する。記録部１６は、メモリスロット１６１ａと、ＵＳＢ（Universal Serial Bus）スロット１６２ａと、ハードディスク（ＨＤＤ、Hard Disk Drive）１６３と、半導体メモリ１６４と、を有している。メモリスロット１６１ａには、半導体メモリを有するメモリカード１６１ｂが挿抜可能である。ＵＳＢスロット１６２ａには、ＵＳＢメモリ１６２ｂが挿抜可能である。記録部１６には、これらの記憶媒体に、ＤＳＰ１５で符号化されたデジタルデータを記録する。
【００３４】
この記録部１６において記録媒体に格納されたデジタルデータは、デジタルデータ毎にファイル名が付与され、フォルダ毎に格納される。これらのデジタルデータは、制御部３０の制御の下、ＤＳＰ１５によって読み出される。ＤＳＰ１５は、記憶部１６から読み出されたデータを復号化する。
【００３５】
ＤＡＣ１７は、制御部３０の制御の下、ＤＳＰ１５から出力されるデジタルデータをアナログデータに変換する。
【００３６】
アンプ１８は、ＤＡＣ１７で変換されたアナログデータを増幅する。
【００３７】
音声出力部１９は、イヤホン、ヘッドホン又はスピーカ等を有している。音声出力部１９は、アンプ１８により、増幅された音声データを出力する。
【００３８】
一方、ＣＤメカ部２０は、ＣＤを装填する装填部、光ピックアップ、トラッキングスレッドサーボ回路、スピンドルサーボ回路等（いずれも不図示）を備えている。ＣＤメカ部２０は、制御部３０の制御の下、ＣＤから読み取ったデジタルデータをＤＳＰ１５に出力する。ＤＳＰ１５は、ＡＤＣ１４から出力されたデジタルデータと同様に、そのデジタルデータに対して各種デジタル信号処理を行う。
【００３９】
操作部２１は、再生（ＰＬＡＹ）、録音（ＲＥＣ）、停止（ＳＴＯＰ）を指示するための操作キー、チューナ１１における受信周波数を調整するための調整キー、録音する曲のタイトル等の文字入力を行うための文字キー、再生・録音順序の設定等を行うためのプログラムキー又は入力指示の確定を行う決定キー等の各種キーを有している。操作部２１は、これらのキーが押圧操作されると、その押圧されたキーに対応する押圧信号を制御部３０に出力する。
【００４０】
表示部２２は、ＬＣＤ（Liquid Crystal Display）等の表示画面を有している。表示部２２は、制御部３０から出力される各種表示情報を表示する。表示部２２の表示画面には、例えば、記録装置１の動作状態（再生・録音）や、その動作に係る詳細情報（受信周波数や放送局名、再生・録音曲のタイトル、再生・録音時間、各種編集情報等）が表示される。
【００４１】
制御部３０は、特に図示しない水晶発振器、ＣＰＵ（Central Processing Unit）、ＲＯＭ（Read Only Memory）、ＲＡＭ（Random Access Memory）、計時回路などを備える。
水晶発振器は、一定周波数のクロック信号を常時出力している。このクロック信号に従って、ＣＰＵが、ＲＯＭや、記憶部１６等に格納された各種制御プログラムや設定データなどをＲＡＭの作業領域に展開し、設定データに基づいて各種制御プログラムを順次実行することにより、制御部３０が、記録装置１における各部の動作を統括制御する。計時回路は、水晶発振器から出力されるクロック信号に基づいて計時を行う。ＣＰＵは、計時を行う計時回路から、現在時刻や日付などの時刻情報を取得することができる。
【００４２】
制御部３０は、ＤＳＰ１５により検出された放送信号の受信状態に基づいて、ＤＳＰ１５に録音モードを設定する。記録装置１には、図２の表に示す６つの録音モードが用意されている。録音モードによって、放送の種別（ｂａｎｄ）、ＤＳＰ１５のローパスフィルタ（ＬＰＦ）１５４のカットオフ周波数、受信モード、サンプリング周波数、ビットレート、周波数帯域の組み合わせが異なる。ＤＳＰ１５は、設定された録音モードの録音条件に従って、放送を、記録部１６に記録（録音）する。
【００４３】
次に、本実施形態に係る記録装置１の動作について説明する。
【００４４】
まず、ＦＭ放送受信時の動作について説明する。図３に示すように、操作部２１の録音ボタンが押下されると（ステップ２０１；Ｙｅｓ）、制御部３０は、ＤＳＰ１５の受信強度算出部１５１によって算出されたＲＳＳＩがＲ１ｄＢｕＶ以上であるか否かを判定する（ステップ２０２）。この判定レベルＲ１としては、例えば、１５ｄＢｕＶを採用することができる。
【００４５】
ＲＳＳＩがＲ１ｄＢｕＶより小さいと判定された場合（ステップ２０２；Ｎｏ）、制御部３０は、録音を停止する（ステップ２０４）。ＲＳＳＩがＲ１ｄＢｕＶ以上である場合（ステップ２０２；Ｙｅｓ）、制御部３０は、受信モードをモノラルに強制的に変更し、ＤＳＰ１５のＳＮＲ算出部１５２によって算出されたＳＮＲがＳ１ｄＢ以上であるか否かを判定する（ステップ２０３）。この判定レベルＳ１としては、例えば、２５ｄＢを採用することができる。受信モードをモノラルに強制的に切り替えるのは、ＦＭ放送の場合、どんな受信状況（弱電波から強電波まで）であっても、モノラルの方が、ステレオよりＳＮＲが良好であるため、判定の基準として好ましいという理由による。
【００４６】
ＳＮＲが、Ｓ１ｄＢより小さい場合（ステップ２０３；Ｎｏ）、制御部３０は、録音を停止する（ステップ２０４）。すなわち、本実施形態では、ＲＳＳＩが低すぎる場合やＳＮＲが小さすぎる場合（ノイズが大きすぎる場合）、録音が停止される。
【００４７】
ＳＮＲが、Ｓ１ｄＢ以上である場合（ステップ２０３；Ｙｅｓ）、制御部３０は、ＲＳＳＩが、Ｒ２ｄＢｕＶ以上であるか否かを判定する（ステップ２０５）。この判定レベルＲ２としては、例えば５５ｄＢｕＶを採用することができる。ただし、Ｒ２＞Ｒ１である。
【００４８】
ＲＳＳＩがＲ２ｄＢｕＶより小さい場合（ステップ２０５；Ｎｏ）、制御部３０は、受信モードがステレオモードであるか否かを判定する（ステップ２０６）。ステレオモードでないと判定された場合（ステップ２０６；Ｎｏ）、制御部３０は、録音モード＃１（図２参照）を設定する（ステップ２０７）。ステレオモードであると判定された場合（ステップ２０６；Ｙｅｓ）、制御部３０は、録音モード＃２（図２参照）を設定する（ステップ２０８）。
【００４９】
一方、ＲＳＳＩがＲ２ｄＢｕＶ以上である場合（ステップ２０５；Ｙｅｓ）、制御部３０はＳＮＲがＳ２以上であるか否かを判定する（ステップ２０９）。この判定レベルＳ２としては、例えば６０ｄＢを採用することができる。ただし、Ｓ２＞Ｓ１である。
【００５０】
ＳＮＲが、Ｓ２ｄＢより小さい場合（ステップ２０９；Ｎｏ）、制御部３０は、受信モードがステレオモードであるか否かを判定する（ステップ２０６）。ステレオモードでないと判定された場合（ステップ２０６；Ｎｏ）、制御部３０は、録音モード＃１（図２参照）を設定する（ステップ２０７）。ステレオモードであると判定された場合（ステップ２０６；Ｙｅｓ）、制御部３０は、録音モード＃２（図２参照）を設定する（ステップ２０８）。
【００５１】
一方、ＳＮＲがＳ２ｄＢより大きい場合（ステップ２０９；Ｙｅｓ）、制御部３０は、ハイパスフィルタ１５３の出力が無視できるほど低いか否か、すなわちローレベル（Ｌ）であるか否かを判定する（ステップ２１０）。
【００５２】
ハイパスフィルタ１５３の出力がローレベルである場合（ステップ２１０；Ｙｅｓ）、制御部３０は、受信モード検出部１５５によって検出された受信モードがステレオモードであるか否かを判定する（ステップ２１１）。
【００５３】
ステレオモードでないと判定された場合（ステップ２１１；Ｎｏ）、制御部３０は、録音モード＃３（図２参照）を設定する（ステップ２１２）。ステレオモードであると判定された場合（ステップ２１１；Ｙｅｓ）、制御部３０は、録音モード＃４（図２参照）を設定する（ステップ２１３）。
【００５４】
ハイパスフィルタ１５３の出力がハイレベルである場合（ステップ２１０；Ｎｏ）、隣接妨害が発生し、ＳＮＲが再び悪化していることが考えられるため、制御部３０は、受信モードをモノラルに切り替え（ステップ２１４）、ステップ２０３に戻る。以降、ステップ２０３以降の処理が繰り返され、上述した処理を経て、録音モード＃１〜＃４のいずれかが設定される。
【００５５】
ステップ２０７、２０８、２１２、２１３の処理が終了した後、制御部３０は、録音を開始する（ステップ２１４）。
【００５６】
このように、ＦＭ放送受信時においては、放送信号のＲＳＳＩやＳＮＲが良好であり、かつ、隣接妨害を受けていなければ、サンプリング周波数やビットレートが高めに設定され、必要な場合には、ステレオモードに設定されるようになる。
【００５７】
次に、ＡＭ放送受信時の動作について説明する。図４に示すように、操作部２１の録音ボタンが押下されると（ステップ３０１；Ｙｅｓ）、制御部３０は、ＤＳＰ１５の受信強度算出部１５１によって算出されたＲＳＳＩが、Ｒ３（例えば２５）ｄＢｕＶ以上であるか否かを判定する（ステップ３０２）。
【００５８】
ＲＳＳＩがＲ３ｄＢｕＶより小さい場合（ステップ３０２；Ｎｏ）、制御部３０は、録音を停止する（ステップ３０３）。ＲＳＳＩがＲ３ｄＢｕＶ以上である場合（ステップ３０２；Ｙｅｓ）、制御部３０は、ＤＳＰ１５のＳＮＲ算出部１５２によって算出されたＳＮＲがＳ３（例えば２５）ｄＢ以上であるか否かを判定する（ステップ３０４）。ＳＮＲが、Ｓ３ｄＢより小さい場合（ステップ３０４；Ｎｏ）、制御部３０は、録音を停止する（ステップ３０３）。すなわち、本実施形態では、ＲＳＳＩが低すぎる場合やＳＮＲが小さすぎる場合（ノイズが大きすぎる場合）、録音が停止される。
【００５９】
ＳＮＲがＳ３ｄＢ以上である場合（ステップ３０４；Ｙｅｓ）、制御部３０は、ＲＳＳＩが、Ｒ４（例えば、６６）ｄＢｕＶ以上であるか否かを判定する（ステップ３０５）。
【００６０】
ＲＳＳＩがＲ４ｄＢｕＶより小さい場合（ステップ３０５；Ｎｏ）、制御部３０は、録音モード＃５（図２参照）を設定する（ステップ３０６）。ＲＳＳＩがＲ４ｄＢｕＶ以上である場合（ステップ３０５；Ｙｅｓ）、制御部３０は、ハイパスフィルタ１５３の出力がローレベルであるか否かを判定する（ステップ３０７）。
【００６１】
ＤＳＰ１５のハイパスフィルタ１５３の出力がローレベルである場合（ステップ３０７；Ｙｅｓ）、制御部３０は、録音モード＃６（図２参照）を設定する（ステップ３０８）。
【００６２】
ハイパスフィルタ１５３の出力がハイレベルである場合（ステップ３０７；Ｎｏ）、隣接妨害により、ＳＮＲが再び悪化していることが考えられるため、制御部３０は、ローパスフィルタ１５４のカットオフ周波数を、３ＫＨｚに変更し（ステップ３１０）、ステップ３０４に戻る。以降、ステップ３０４以降の処理が繰り返され、上述した処理を経て、録音モード＃５、＃６のいずれかが設定される。
【００６３】
ステップ３０６、３０８の処理が終了した後、制御部３０は、録音を開始する（ステップ３０９）。
【００６４】
このように、ＡＭ放送受信時には、放送信号のＲＳＳＩやＳＮＲが良好であり、かつ、隣接妨害を受けていなければ、サンプリング周波数やビットレートが高めに設定され、ローパスフィルタ１５４のカットオフ周波数が低めに設定されるようになる。
【００６５】
以上詳細に説明したように、本実施形態によれば、放送の受信状態に基づいて、適切な録音モードを自動的に設定することができるので、ワンタッチ録音で、最適な録音モードでの録音が可能となる。その結果、ユーザの負担を軽減することができる。
【００６６】
また、本実施形態によれば、放送の受信状態が良好でない場合には、サンプリング周波数やビットレートが低めに設定され、モノラルモードに設定されるので、記憶容量を適切なものとして、メモリを有効に活用することができる。
【００６７】
また、本実施形態によれば、放送信号のＲＳＳＩと、放送信号に含まれるＳＮＲとに基づいて、受信状態の良好度を用いて、録音モードを決定した。これらの指標が、放送信号の受信状態の良好度を端的に示すものだからである。しかしながら、放送の受信状態の良好度を検出するためには、いずれか一方を採用するだけでもよく、他の指標を用いて、録音モードを設定するようにしてもよい。
【００６８】
また、本実施形態によれば、放送の受信状態が良好であればあるほど、より高いサンプリング周波数と、高いビットレートの記録モードで記録が行われる。このようにすれば、メモリ容量と、音声品質とを総合考慮した自動録音が可能となる。
【００６９】
また、本実施形態によれば、隣接妨害が検出された場合には、ＦＭ放送受信時には、ステレオモードからモノラルモードに変更し、ＡＭ放送受信時には、ローパスフィルタのカットオフ周波数を低くする。このようにすれば、隣接妨害を低減した状態での録音が可能となる。
【００７０】
また、本実施形態によれば、放送の受信状態の良好度が、所定のレベルに満たない場合には、録音を停止する。このようにすれば、無駄に録音することなく、メモリ消費を最小限に留めることができる。
【００７１】
なお、本実施形態におけるＲＳＳＩ、ＳＮＲの閾値、ハイパスフィルタ１５３、ローパスフィルタ１５４のカットオフ周波数、録音モードの各種録音条件は一例であり、本発明はこれに限定されない。放送信号の受信状態の良好度を示す他のデータを用いてもよいし、録音モードの各種録音条件として、例えば、その他の圧縮条件（例えば、圧縮方式の種別）を採用することもできる。また、録音モードは何種類あってもよい。
【００７２】
また、本実施形態に係る記録装置１は、ラジオ放送の録音を行ったが、テレビ放送の録画、録音にも本発明を適用することができる。
【００７３】
また、本実施形態では、制御部３０によって実行される制御プログラムが、ＲＯＭに予め記憶されているものとして説明した。この制御プログラムは、フレキシブルディスク、ＣＤ−ＲＯＭ（Compact Disc Read-Only Memory）、ＤＶＤ（Digital Versatile Disc）、ＭＯ（Magneto Optical disc）などのコンピュータ読み取り可能な記録媒体に格納して配布され、インストールされるようになっていてもよい。また、インターネット等を介して、制御プログラムをダウンロードし、インストールされるようになっていてもよい。
【符号の説明】
【００７４】
１  記録装置
１０  アンテナ
１１  チューナ
１２  入出力端子
１３  セレクタ
１４  ＡＤＣ（Analog to Digital Converter）
１５  ＤＳＰ（Digital Signal Processor）
１６  記録部
１７  ＤＡＣ（Digital to Analog Converter）
１８  アンプ
１９  音声出力部
２０  ＣＤメカ部
２１  操作部
２２  表示部
３０  制御部
１５１  受信強度算出部
１５２  ＳＮＲ算出部
１５３  ハイパスフィルタ
１５４  ローパスフィルタ
１５５  受信モード検出部
１６１ａ  メモリスロット
１６１ｂ  メモリカード
１６２ａ  ＵＳＢ（Universal Serial Bus）スロット
１６２ｂ  ＵＳＢメモリ
１６３  ハードディスク（ＨＤＤ）
１６４  半導体メモリ
【図１】
2010232883.tif 000003
【図２】
2010232883.tif 000004
【図３】
2010232883.tif 000005
【図４】
2010232883.tif 000006